(57)【特許請求の範囲】
【請求項１】
端末装置内部回路を収納する直方体状のケース部と、該ケース部に着脱され前記端末装置内部回路の結線用端子部を保護するカバー部とを備えた端末装置用筐体において、前記ケース部の上部側端にねじによる２つの穴を有する取付け部を突設し、前面上部に直方体状の突起部を設けた略直方体状のメータ筐体の前面上部で且つ前記突起部の側方に配置されたねじ突起部に形成された２つのねじ穴に、前記ねじを前記２つの穴を有する取付部を介してねじ止めすることにより前記ケース部を前記メータ筐体の前面下部で且つ中央より側方の位置に直接ねじ止め固定するように構成してなるとともに前記ケース部の背面下部に、前記端末装置内部回路に接続される外部からの配線を通す切欠き孔を設けてなることを特徴とする端末装置用筐体。
【請求項２】
端末装置内部回路を収納する直方体状のケース部と、該ケース部に着脱され前記端末装置内部回路の結線用端子部を保護するカバー部とを備えた端末装置用筐体において、前記ケース部の上部側端にねじによる２つの穴を有する取付け部を突設し、前面上部に直方体状の突起部を設けた略直方体状のメータ筐体の前面上部で且つ前記突起部の側方に配置されたねじ突起部に形成された２つのねじ穴に、前記ねじを前記２つの穴を有する取付部を介してねじ止めすることにより前記ケース部を前記メータ筐体の前面下部で且つ中央より側方の位置に直接ねじ止め固定するように構成してなるとともに前記ケース部の背面に複数個の固定足を突設し、該複数個の固定足のうち前記メータ筐体の大きさに応じた個数の固定足を当該メータ筐体の腹板部に当接させるように構成してなることを特徴とする端末装置用筐体。
【発明の詳細な説明】
【０００１】
【発明の属する技術分野】
本発明は、端末装置用筐体に関するものである。
【０００２】
【従来の技術】
従来の端末装置用筐体としては、例えば図７に示すようなものがある。端末装置内部回路を収納するケース２２、端末装置内部回路の結線用端子部を保護するカバー２３とで端末装置用筐体２１が構成されている。端末装置用筐体２１は、取付け金具２４及びこの取付け金具２４を固定するための木ねじ２５を介して需要者建屋等の壁２８に取り付けられている。２６はカバー２３を取付け金具２４に固定するための取付けねじである。
【０００３】
端末装置用筐体２１を壁２８に取り付ける際は、壁２８にドリル等でねじ穴を開け、木ねじ２５を用いて、まず取付け金具２４を壁２８にねじ止めする。次に、壁２８にねじ止めされた取付け金具２４にケース袋部２７を挿入してケース２２を取付け金具２４にはめ込む。この状態でカバー２３をかぶせ、正面から取付けねじ２６を用いて、カバー２３の下部に開けられた透孔を通過させ取付け金具２４にねじ止めする。このように、端末装置用筐体２１は、取付け金具２４を用いて需要者建屋等の壁２８に直付けされている。
【０００４】
図８は、端末装置がガスメータと電話回線に接続される際の工事配線結線を示している。２０は端末装置、２９はガスメータ、３０は保安器、３１は需要家電話機、３２はガスメータ２９からのメータ信号線、３３は端末装置２０からの２芯ケーブル、３４はメータ信号線３２と２芯ケーブル３３を結線するコネクタ、３５は端末装置２０と保安器３０及び需要家電話機３１とを接続する４芯ケーブル、３６は電話線、３７は２芯ケーブル３３及び４芯ケーブル３５を壁に固定するためのビスである。
【０００５】
端末装置２０を工事配線する場合は、メータ信号線３２と２芯ケーブル３３をコネクタ３４を使って接続する。次に４芯ケーブル３５を使って保安器３０と需要家電話機３１に接続する。接続後、２芯ケーブル３３と４芯ケーブル３５がたわまないように、端末装置２０の近傍にビス３７を使って壁にビス止めし、固定する。このように、端末装置２０とガスメータ２９間の信号線は、コネクタ接続されている。また端末装置２０に配線される４芯ケーブル３５、２芯ケーブル３３は、端末装置２０の近傍で壁にビス止めされている。
【０００６】
【発明が解決しようとする課題】
従来の端末装置用筐体では、需要家建屋の壁に取り付け作業を行う際、壁にドリル等でねじ穴を開けるため、ねじ穴の位置について需要家に確認を取らなければならず、確認のための手間と時間を要し、かつ壁に穴（ねじ穴、ビスによるもの）を開ける箇所を需要家に限定された場合には、最適な工事配線を行えない場合があるという問題点があった。
【０００７】
本発明は、上記に鑑みてなされたもので、第１に需要家建屋の壁等にねじ穴を開けなくても容易に取り付けを行うことができ、第２に外部からの配線を、近傍にビス止め等を行わなくても、側面又は背面に、たわませることなく固定することができ、第３にガス等のメータからのメータ信号線を、他のケーブル及びコネクタ等の部品を利用しなくても、その信号線自身がもともと備えている線の長さを利用するだけで結線用端子部に結線することができ、第４に外部からの配線を、いたずらや引っ掛け等による断線から防止することができ、第５にサイズの異なるメータ筐体に取り付ける場合でも取り付け作業及び結線用端子部への結線作業を容易に行うことができる端末装置用筐体を提供することを目的とする。
【０００８】
【課題を解決するための手段】
上記課題を達成するために、請求項１記載の発明は、端末装置内部回路を収納する直方体状のケース部と、該ケース部に着脱され前記端末装置内部回路の結線用端子部を保護するカバー部とを備えた端末装置用筐体において、前記ケース部の上部側端にねじによる２つの穴を有する取付け部を突設し、前面上部に直方体状の突起部を設けた略直方体状のメータ筐体の前面上部で且つ前記突起部の側方に配置されたねじ突起部に形成された２つのねじ穴に、前記ねじを前記２つの穴を有する取付部を介してねじ止めすることにより前記ケース部を前記メータ筐体の前面下部で且つ中央より側方の位置に直接ねじ止め固定するように構成してなるとともに前記ケース部の背面下部に、前記端末装置内部回路に接続される外部からの配線を通す切欠き孔を設けてなることを要旨とする。この構成により、端末装置用筐体の取り付けの際、需要者建屋の壁等にねじ孔を開けなくても取り付けを行うことが可能となる。またガス等のメータからのメータ信号線は、その信号線自身がもともと備えている線の長さを利用するだけで結線用端子部に結線することが可能となる。また、外部からの配線が、切欠き孔で固定されて、端末装置用筐体の裏側に、たわむことなく固定される。
【０００９】
請求項２記載の発明は、端末装置内部回路を収納する直方体状のケース部と、該ケース部に着脱され前記端末装置内部回路の結線用端子部を保護するカバー部とを備えた端末装置用筐体において、前記ケース部の上部側端にねじによる２つの穴を有する取付け部を突設し、前面上部に直方体状の突起部を設けた略直方体状のメータ筐体の前面上部で且つ前記突起部の側方に配置されたねじ突起部に形成された２つのねじ穴に、前記ねじを前記２つの穴を有する取付部を介してねじ止めすることにより前記ケース部を前記メータ筐体の前面下部で且つ中央より側方の位置に直接ねじ止め固定するように構成してなるとともに前記ケース部の背面に複数個の固定足を突設し、該複数個の固定足のうち前記メータ筐体の大きさに応じた個数の固定足を当該メータ筐体の腹板部に当接させるように構成してなることを要旨とする。この構成により、端末装置用筐体の取り付けの際、需要者建屋の壁等にねじ孔を開けなくても取り付けを行うことが可能となる。またガス等のメータからのメータ信号線は、その信号線自身がもともと備えている線の長さを利用するだけで結線用端子部に結線することが可能となる。また、端末装置用筐体を、取り付け作業及び結線用端子部への結線作業時に起こるねじ止めによる正面からの力に対し、メータ筐体の腹板部をベースにして所要個数の固定足で支えることが可能となる。
【００１３】
【発明の実施の形態】
以下、本発明の実施の形態を図面に基づいて説明する。
【００１４】
図１及び図２は、本発明の第１の実施の形態を示す図である。図１は、端末装置用筐体を、需要者建屋の壁等に既設置のガスメータ筐体に取り付ける際の概略図、図２は、端末装置用筐体がガスメータ筐体に取り付けられた状態での配線を示している。まず、図１において、端末装置内部回路を収納するケース２と、端末装置内部回路の結線用端子部を保護するカバー３とで端末装置用筐体１が構成されている。ケース２における図の右上部には、ねじ４を通すための２個の透孔５が開けられた取付け部２ａが突設されている。一方、ガスメータ筐体７における取付け部２ａに対応した部位には、ねじ穴８が設けられている。そして、端末装置用筐体１は、ねじ４を透孔５を通してねじ穴８にねじ止めすることにより、ガスメータ筐体７の前面部に取り付け固定されるようになっている。したがって、端末装置用筐体１の取り付けの際、需要家建屋の壁にねじ穴を開けなくても容易に取り付けを行うことができ、また需要家建屋の壁を傷めることがなくなる。
【００１５】
次に、図２を用いて、ガスメータ筐体７に取り付けられた端末装置を工事配線する場合を述べる。ケース２の側面には、配線を挟持し固定するための挟持部６が突設されている。保安器３０及び需要家電話機３１に接続された４芯ケーブル１０及びガスメータからのメータ信号線９は、挟持部６を経由して端末装置用筐体１の下部から端末装置用筐体１内部の結線用端子部に接続する。このようにすると、メータ信号線９は、端末装置用筐体１がガスメータ筐体７にねじ止め固定されていることからメータ信号線９自身がもともと備えている線の長さを利用するだけで、端末装置に接続することが可能となる。したがって、コネクタ等の部品を利用しなくてもガスメータと端末装置間の信号線接続を行うことができるという利点がある。
【００１６】
図３及び図４には、本発明の第２の実施の形態を示す。本実施の形態は、端末装置に配線されるメータ信号線９と４芯ケーブル１０の固定方法について示している。ガスメータ筐体７に直接ねじ止め固定された端末装置用筐体１にメータ信号線９と４芯ケーブル１０を配線する場合は、双方の線９，１０をケース２の側面にある挟持部６で挟持された後、端末装置用筐体１の側面に沿ってカバー３の下部に設けられたカバー配線孔１１を通し、端末装置用筐体１内部の結線用端子部に結線する。このようにすると、双方の線９，１０ともに、カバー配線孔１１の角と挟持部６の２箇所で固定できるため、線９，１０をたわませることなく固定することが可能となる。したがって、配線の固定とたわみ防止のために、配線を端末装置用筐体の近傍でビス止めしていた従来技術に比べ、ビス等を利用しなくてもカバー配線孔１１と挟持部６を利用することで、配線をたわませることなく固定することができるという利点がある。
【００１７】
図５には、本発明の第３の実施の形態を示す。本実施の形態は、端末装置に配線されるメータ信号線９と４芯ケーブル１０の他の固定方法について示している。端末装置に配線されるメータ信号線９は、ケース２の背面に設けたＬ字型掛止め部１２に掛止めた後、ケース２背面の最下部に設けた切欠き孔１３ａを通って端末装置用筐体１内部の結線用端子部に結線する。また４芯ケーブル１０は、ケース２側面の挟持部６を経由した後、ケース２の背面を通過し、ケース２背面の最下部に設けた切欠き孔１３ｂを通って端末装置用筐体１内部の結線用端子部に結線する。このようにすると、双方の線９，１０ともに、端末装置用筐体１の裏側に配線することが可能となり、また同時に、メータ信号線９は、Ｌ字型掛止め部１２と切欠き孔１３ａの２箇所で固定され、４芯ケーブル１０は、ケース２側面の挟持部６と切欠き孔１３ｂの２箇所で固定できるため、線をたわませることなく固定することが可能となる。したがって、端末装置用筐体１の裏側に配線９，１０をたわませることなく固定できるため、いたずらや引っ掛け等による断線を防止することができるという利点がある。
【００１８】
図６には、本発明の第４の実施の形態を示す。本実施の形態は、端末装置用筐体を、サイズの異なるガスメータ筐体に対し安定した状態で取り付けられるようにしたものである。ガスメータ筐体に直接ねじ止め固定される端末装置用筐体１は、ケース２の背面部に備えさせた４個の固定足１４ａ〜１４ｄ（図４参照）を、ガスメータ筐体の腹板部１５に対し、最も小型のガスメータ筐体７ａでは３個の固定足１４ａ，１４ｂ，１４ｄを接触させ、中型及び大型のガスメータ筐体７ｂ，７ｃでは４個の固定足１４ａ〜１４ｄを接触させる。このようにすると、端末装置用筐体１は、取り付け作業及び結線用端子部への結線作業時に起こるねじ止めによる正面からの力に対し、４個の固定足１４ａ〜１４ｄが、ガスメータ筐体の腹板部１５をベースにして３点もしくは４点で支えることが可能になる。したがって、サイズの異なるガスメータ筐体７ａ〜７ｃに取り付けられる場合でも、端末装置用筐体１は固定足１４ａ〜１４ｄにより安定した状態が保たれるので端末装置用筐体１の取り付け作業及び結線用端子部への結線作業を容易に行うことができるという利点がある。
【００１９】
【発明の効果】
以上説明したように、請求項１記載の発明によれば、端末装置内部回路を収納するケース部の上部側端にねじによる２つの穴を有する取付け部を突設し、前面上部に直方体状の突起部を設けた略直方体状のメータ筐体の前面上部で且つ前記突起部の側方に配置されたねじ突起部に形成された２つのねじ穴に、前記ねじを前記２つの穴を有する取付部を介してねじ止めすることにより前記ケース部を前記メータ筐体の前面下部で且つ中央より側方の位置に直接ねじ止め固定するように構成してなるとともに前記ケース部の背面下部に、前記端末装置内部回路に接続される外部からの配線を通す切欠き孔を設けてなるように構成したため、端末装置用筐体の取り付け、取り外しの際、ねじの着脱を需要者建屋の壁等に対して行う必要がなく、需要者建屋の壁等を傷めることがない。またガス等のメータからのメータ信号線は、他のケーブル及びコネクタ等の部品を利用しなくても、その信号線自身がもともと備えている線の長さを利用するだけで結線用端子部に結線することができる。また、外部からの配線が、切欠き孔で固定されて、端末装置用筐体の裏側に、たわむことなく固定される。
【００２０】
請求項２記載の発明によれば、ケース部の上部側端にねじによる２つの穴を有する取付け部を突設し、前面上部に直方体状の突起部を設けた略直方体状のメータ筐体の前面上部で且つ前記突起部の側方に配置されたねじ突起部に形成された２つのねじ穴に、前記ねじを前記２つの穴を有する取付部を介してねじ止めすることにより前記ケース部を前記メータ筐体の前面下部で且つ中央より側方の位置に直接ねじ止め固定するように構成してなるとともに前記ケース部の背面に複数個の固定足を突設し、該複数個の固定足のうち前記メータ筐体の大きさに応じた個数の固定足を当該メータ筐体の腹板部に当接させるように構成したため、端末装置用筐体の取り付け、取り外しの際、ねじの着脱を需要者建屋の壁等に対して行う必要がなく、需要者建屋の壁等を傷めることがない。またガス等のメータからのメータ信号線は、他のケーブル及びコネクタ等の部品を利用しなくても、その信号線自身がもともと備えている線の長さを利用するだけで結線用端子部に結線することができる。また、端末装置用筐体を、取り付け作業及び結線用端子部への結線作業時に起こるねじ止めによる正面からの力に対し、メータ筐体の腹板部をベースにして所要個数の固定足で支えることが可能となる。
【図面の簡単な説明】
【図１】本発明の第１の実施の形態に係る端末装置用筐体のガスメータ筐体への取り付けを説明するための図である。
【図２】上記第１の実施の形態がガスメータ筐体に取り付けられた状態での配線を示す図である。
【図３】本発明の第２の実施の形態において４芯ケーブルの固定状態を示す図である。
【図４】本発明の第２の実施の形態においてメータ信号線の固定状態を示す図である。
【図５】本発明の第３の実施の形態を示す図である。
【図６】本発明の第４の実施の形態を示す図である。
【図７】従来の端末装置用筐体を示す側面図である。
【図８】上記従来技術における配線状態を示す図である。
【符号の説明】
１  端末装置用筐体
２  ケース
２ａ  取付け部
３  カバー
４  ねじ
６  挟持部
７，７ａ〜７ｄ  ガスメータ筐体
８  ねじ穴
９  メータ信号線（外部からの配線）
１０  ４芯ケーブル（外部からの配線）
１２  Ｌ字型掛止め部
１３ａ，１３ｂ  切欠き孔
１４ａ〜１４ｄ  固定足
１５  腹板部
【図１】
0003781482.tif 000002
【図２】
0003781482.tif 000003
【図３】
0003781482.tif 000004
【図４】
0003781482.tif 000005
【図５】
0003781482.tif 000006
【図６】
0003781482.tif 000007
【図７】
0003781482.tif 000008
【図８】
0003781482.tif 000009